(57)【要約】【課題】利便性の高い昇降カーテンを提供する。【解決手段】カーテン本体１２のカーテン構成部材２１に、下縁用保持部材２３及び上縁用保持部材２４を設ける。縁部用昇降機構４１からの下縁部用吊紐４２をスルーリング４３で垂下させ、各下縁部用保持部材２３に移動自在に挿通した後、カーテン本体１２下縁部の下縁部用保持部材２３に結んで固定する。上縁部用昇降機構５１からの上縁部用吊紐５２をスルーリング５３で垂下させ、各上縁部用保持部材２４に挿通された後、カーテン本体１２下縁部の上縁部用保持部材２４に結んで固定する。各上縁部用保持部材２４を挿通した上縁部用吊紐５２の上下位置にストッパ６１を設け、上縁部用吊紐５２を、各上縁用保持部材を介してカーテン構成部材２１に係合する。【選択図】          図１
2005027727.tif 000002
【特許請求の範囲】
【請求項１】
カーテン本体がカーテンレールに昇降自在に吊り下げられた昇降カーテンにおいて、
前記カーテン本体の下縁部を任意の位置まで昇降する下縁部昇降手段と、前記カーテン本体の上縁部を任意の位置まで昇降する上縁部昇降手段とを備えたことを特徴とする昇降カーテン。
【請求項２】
前記カーテンレールに設けられた下縁部用昇降機構から出し入れされる下縁部用吊紐を、前記カーテン本体の上下方向に間隔をおいて設けられた複数の下縁部用保持部材に移動自在に挿通した後、当該下縁部用吊紐を、前記カーテン本体の下縁側で固定して前記下縁部昇降手段を構成する一方、
前記カーテンレールに設けられた上縁部用昇降機構から出し入れされる上縁部用吊紐を、前記カーテン本体の上下方向に間隔をおいて設定された複数の係合点で係合して前記上縁部昇降手段を構成したことを特徴とする請求項１記載の昇降カーテン。
【請求項３】
前記カーテン本体を、上下に配置された複数のカーテン構成部材により構成し、各カーテン構成部材に、前記下縁部用保持部材と前記係合点とを設けたことを特徴とする請求項２記載の昇降カーテン。
【発明の詳細な説明】
【０００１】
【発明の属する技術分野】
本発明は、例えば窓開口部を覆う昇降カーテンに関する。
【０００２】
【従来の技術】
従来、窓開口部からの光を和らげる又は遮断する際には、カーテンが使用されていた。
【０００３】
このカーテンとしては、窓枠上部に固定されるカーテンレールと、該カーテンレールに吊り下げられたカーテン本体とからなる昇降カーテンが知られており、この昇降カーテンでは、カーテンレールより垂下した操作紐を操作することによって、カーテン本体を降ろした状態と上昇させた状態とを形成できるように構成されている。
【０００４】
【発明が解決しようとする課題】
しかしながら、このような従来の昇降カーテンにあっては、カーテン本体を下縁側から上昇することしかできなかった。
【０００５】
このため、窓開口部の下側をカーテン本体で覆う一方、上側を開放して光を取り込むといった利用ができず、不便であった。
【０００６】
本発明は、このような従来の課題に鑑みてなされたものであり、利便性の高い昇降カーテンを提供することを目的とするものである。
【０００７】
【課題を解決するための手段】
前記課題を解決するために本発明の請求項１の昇降カーテンにあっては、カーテン本体がカーテンレールに昇降自在に吊り下げられた昇降カーテンにおいて、前記カーテン本体の下縁部を任意の位置まで昇降する下縁部昇降手段と、前記カーテン本体の上縁部を任意の位置まで昇降する上縁部昇降手段とを備えている。
【０００８】
すなわち、下縁部昇降手段によりカーテン本体の下縁部を任意の位置まで昇降させることによって、カーテン本体を下縁側から上昇した開放状態と、カーテン本体の下縁部を下降させた閉鎖状態とが形成される。
【０００９】
一方、上縁部昇降手段によりカーテン本体の上縁部を任意の位置まで昇降することによって、カーテン本体の上縁部を下降した上部開放状態と、カーテン本体の上縁部を上昇した閉鎖状態とが形成される。
【００１０】
また、請求項２の昇降カーテンにおいては、前記カーテンレールに設けられた下縁部用昇降機構から出し入れされる下縁部用吊紐を、前記カーテン本体の上下方向に間隔をおいて設けられた複数の下縁部用保持部材に移動自在に挿通した後、当該下縁部用吊紐を、前記カーテン本体の下縁側で固定して前記下縁部昇降手段を構成する一方、前記カーテンレールに設けられた上縁部用昇降機構から出し入れされる上縁部用吊紐を、前記カーテン本体の上下方向に間隔をおいて設定された複数の係合点で係合して前記上縁部昇降手段を構成した。
【００１１】
すなわち、下縁部用昇降機構から下縁部用吊紐を延出させた際には、当該下縁部用吊紐が固定されたカーテン本体の下縁部が下降し、カーテン本体の下縁部が下降した閉鎖状態が形成される。
【００１２】
また、前記下縁部用吊紐を前記下縁部用昇降機構で上昇させた際には、当該下縁部用吊紐が固定されたカーテン本体の下縁部が上昇する。このとき、前記下縁部用吊紐は、カーテン本体の各下縁部用保持部材に移動自在に挿通されているため、前記下縁部用吊紐が固定された固定部が、各下縁部用保持部材に到達した時点より、当該各下縁部用保持部材が設けられた部位の上昇が開始され、カーテン本体を下縁側から上昇した開放状態が形成される。
【００１３】
一方、上縁部用昇降機構から上縁部用吊紐を延出させた際には、前記カーテン本体に設定された各係合点が下降し、カーテン本体が全体的に下降することとなる。このとき、カーテン本体は、その下縁部が前記下縁部用吊紐で吊り下げられた状態で下降が制限されており、その中途部は、前記各下縁部用保持部材を挿通する上下に延在した前記下縁部用吊紐によって横方向への移動が規制される。これにより、カーテン本体の上縁部が下降した上部開放状態が横ズレを起こすこと無く形成される。
【００１４】
また、前記上縁部用吊紐を前記上縁部用昇降機構で上昇することで、カーテン本体は、上下に延在する前記下縁部用吊紐に沿って全体的に上昇し、カーテン本体の上縁部を上昇した閉鎖状態が形成される。
【００１５】
さらに、請求項３の昇降カーテンでは、前記カーテン本体を、上下に配置された複数のカーテン構成部材により構成し、各カーテン構成部材に、前記下縁部用保持部材と前記係合点とを設けた。
【００１６】
このため、カーテン本体の下縁側から上昇した開放状態、及びカーテン本体の上縁部を下降した上部開放状態において、各カーテン構成部材を前後に配置した状態で重ね合わせられる。
【００１７】
そして、前記カーテン本体は上下に配置された複数のカーテン構成部材で構成されており、各カーテン構成部材は、上縁部用吊紐が係合する係合点にて支持されている。このため、カーテン本体が上下に広げられた閉鎖状態において、各カーテン構成部材は、その自由端部が揺動することで、当該自由端部の部位が開放される。
【００１８】
【発明の実施の形態】
以下、本発明の一実施の形態を図に従って説明する。図１は、本実施の形態にかかる昇降カーテン１を示す図であり、該昇降カーテン１は、窓開口部からの光を和らげる又は遮断するものである。
【００１９】
この昇降カーテン１は、窓開口部の上部に設置されるカーテンレール１１と、該カーテンレール１１に昇降自在に吊り下げられたカーテン本体１２とによって構成されている。前記カーテン本体１２は、厚手地や薄手地やレール地で形成可能であり、本実施の形態では、レース地が用いられている。
【００２０】
このカーテン本体１２は、横長に裁断された複数のカーテン構成部材２１，・・・によって構成されており、各カーテン構成部材２１，・・・が上下に配置されることにより、縦長のカーテン本体１２が構成されている。各カーテン構成部材２１の上縁部は、折り返されており、その折返し部分の下端には、棒状の芯材２２，・・・が折返し部分に挟まれた状態で保持され、カーテン構成部材２１の弛みが防止されている。そして、前記各カーテン構成部材２１，・・・の前記折返し部分における前記芯材２２の上部には、一部に切欠部（図示省略）が設けられたリング状の下縁用保持部材２３及び上縁用保持部材２４からなる一対が、横方向に間隔をおいて複数箇所に設けられている。
【００２１】
前記カーテンレール１１は、断面Ｌ字状に形成されており、室内側に配置される図１中奥側の端部には、下方へ延出した延出片３１が設けられている。該延出片３１の図１中奥側の表面には、面ファスナが設けられており、該面ファスナによって、前記カーテン構成部材２１と同形状の上縁膜３２が、カーテンレール１１に沿って着脱自在に固定されている。
【００２２】
そして、この昇降カーテン１には、前記カーテン本体１２の下縁部を任意の位置まで昇降する下縁部昇降手段と、前記カーテン本体１２の上縁部を任意の位置まで昇降する上縁部昇降手段とが設けられている。
【００２３】
すなわち、前記下縁部昇降手段は、前記カーテンレール１１の前記延出片３１に設けられた下縁部用昇降機構４１を備えて成り、該下縁部用昇降機構４１からは、数本の下縁部用吊紐４２，・・・が出し入れ自在に保持されている。各下縁部用吊紐４２の一端部は、前記延出片３１に間隔をおいて設けられた各スルーリング４３を挿通した後（一つのみ図示）、対応するスルーリング４３の部位で垂下されており、前記各カーテン構成部材２１，・・・に設けられた各下縁部用保持部材２３，・・・、つまりカーテン本体１２の上下方向に間隔をおいて設けられた前記各下縁部用保持部材２３，・・・に移動自在に挿通された後、カーテン本体１２の下縁部を構成する最下部のカーテン構成部材２１の下縁部用保持部材２３に結ばれて固定されている。
【００２４】
また、前記各下縁部用吊紐２３，・・・の他端部は、前記下縁部用昇降機構４１を挿通して側方から垂下しており、当該昇降カーテン１の側部から引張操作できるように構成されている。前記下縁部用昇降機構４１は、前記各下縁部用吊紐４２，・・・の他端部の操作状態によって、挿通した各下縁部用吊紐４２，・・・の移動を規制した規制状態と、移動を許容した許容状態とを形成する一般的なロック機構を備えており、前記各下縁部用吊紐４２，・・・一端部の延出量を任意に変更できるように構成されている。これらによって、当該昇降カーテン１には、前記下縁部昇降手段が構成されている。
【００２５】
一方、前記上縁部昇降手段は、前記カーテンレール１１に設けられた上縁部用昇降機構５１を備えて成り、該上縁部用昇降機構５１からも、数本の上縁部用吊紐５２，・・・が出し入れ自在に保持されている。各上縁部用吊紐５２，・・・の一端部は、前記カーテンレール１１に間隔をおいて設けられた各スルーリング５３を挿通した後（一つのみ図示）、対応するスルーリング５３の部位で垂下されており、前記各カーテン構成部材２１，・・・に設けられた各上縁部用保持部材２４，・・・、つまりカーテン本体１２の上下方向に間隔をおいて設けられた前記各上縁部用保持部材２４，・・・に挿通された後、カーテン本体１２の下縁部を構成する最下部のカーテン構成部材２１の上縁部用保持部材２４に結ばれて固定されている。
【００２６】
前記上縁部用吊紐５２には、挿通した各上縁部用保持部材２４，・・・の上下の部位にストッパ６１，・・・が固定されており、該ストッパ６１は、前記上縁部用保持部材２４の内径寸法より大きな外形寸法に設定されている。これにより、前記各上縁用保持部材２４，・・・を挿通した上縁部用吊紐５２は、上下のストッパ６１，６１によって前記各上縁用保持部材２４，・・・の部位で係止されており、各上縁用保持部材２４，・・・が設けられた各カーテン構成部材２１，・・・の部位には、前記上縁部用吊紐５２を各上縁用保持部材２４，・・・を介してカーテン構成部材２１に係合する係合点が設定されている。
【００２７】
また、前記各上縁部用吊紐２４，・・・の他端部は、前記上縁部用昇降機構５１を挿通して側方から垂下しており、当該昇降カーテン１の側部から引張操作できるように構成されている。前記上縁部用昇降機構５１は、前記各上縁部用吊紐５２，・・・の他端部の操作状態によって挿通した各上縁部用吊紐５２，・・・の移動を規制する規制状態と、移動を許容する許容状態とを形成する一般的なロック機構を備えており、前記各上縁部用吊紐５２一端部の延出量を任意に変更できるように構成されている。これらによって、当該昇降カーテン１には、前記上縁部昇降手段が構成されている。
【００２８】
以上の構成にかかる本実施の形態において、カーテン本体１２で窓開口部を閉鎖する際には、下縁部用昇降機構４１より垂下した下縁部用吊紐４２，・・・の他端部を操作して、前記下縁部用昇降機構４１から下縁部用吊紐４２，・・・の一端部を延出させる。すると、図１に示したように、当該下縁部用吊紐４２によって複数箇所が固定されたカーテン本体１２下縁部のカーテン構成部材２１が下降し、各カーテン構成部材２１，・・・が上下に広がった閉鎖状態７１を形成することができる。
【００２９】
また、前記下縁部用吊紐４２，・・・の他端部を操作して、該下縁部用吊紐４２，・・・の一端部を前記下縁部用昇降機構４１で上昇させた際には、図２に示すように、当該下縁部用吊紐４２，・・・が固定されたカーテン本体１２下縁部のカーテン構成部材２１が上昇する。このとき、前記下縁部用吊紐４２は、カーテン本体１２中間部を構成するカーテン構成部材２１，・・・の各下縁部用保持部材２３，・・・に移動自在に挿通されており、前記下縁部用吊紐２３，・・・が結ばれて固定された下縁部用保持部材２３が、他の下縁部用保持部材２３に到達した時点より、当該各下縁部用保持部材２３，・・・が設けられた各カーテン構成部材２１，・・・の上昇が開始され、カーテン本体１２を下縁側から上昇した開放状態７２を形成することができる。
【００３０】
このように、カーテン本体１２の下縁部を任意の位置まで昇降させることによって、カーテン本体１２を下縁側から上昇した開放状態７２と、カーテン本体１２の下縁部を下降させた閉鎖状態７１とを形成することができる。
【００３１】
一方、上縁部用昇降機構５１より垂下した上縁部用吊紐５２，・・・の他端部を操作して、前記上縁部用昇降機構５１から上縁部用吊紐５２，・・・を延出させた際には、図３に示すように、各上縁部用吊紐５２，・・・のストッパ６１，６１によって係止された各カーテン構成部材２１，・・・の上縁部用保持部材２４，・・・の部位（係合点）が下降し、カーテン本体１２が全体的に下降することとなる。
【００３２】
このとき、カーテン本体１２は、その下縁部が前記下縁部用吊紐４２，・・・によって間隔をおいた複数箇所が吊り下げられた状態で下降が制限されており、その中途部は、前記各下縁部用保持部材２３，・・・を挿通する上下に延在した前記下縁部用吊紐４２，・・・によって横方向への移動が規制されている。このため、カーテン本体１２の上縁部が下降した上部開放状態７３を、横ズレを起こすこと無く形成することができる。
【００３３】
また、上縁部用昇降機構５１より垂下した上縁部用吊紐５２，・・・の他端部を操作して、上縁部用吊紐５２，・・・の一端部を前記上縁部用昇降機構５１で上昇することによって、図１に示したように、カーテン本体１２の各カーテン構成部材２１，・・・は、上下に延在する前記下縁部用吊紐４２，・・・に沿って全体的に上昇し、カーテン本体１２の上縁部を上昇した前記閉鎖状態７１を形成することができる。
【００３４】
このように、カーテン本体１２の上縁部を任意の位置まで昇降することによって、カーテン本体１２の上縁部を下降した上部開放状態７３と、カーテン本体の上縁部を上昇した閉鎖状態７１とを形成することができる。
【００３５】
以上のように、カーテン本体１２を下縁側から昇降する通常動作に加えて、上縁部を任意の位置まで下降した上部開放状態７３を形成することができる。このため、この昇降カーテン１を窓開口部に設置した際には、窓開口部の下側をカーテン本体１２で覆う一方、上側を開放して光を取り込むといった利用形態を形成することができる。
【００３６】
したがって、カーテン本体１２を下縁から上昇することしかできなかった従来と比較して、利便性の向上を図ることができる。
【００３７】
また、カーテン本体１２の下縁側から上昇した開放状態７２、及びカーテン本体１２の上縁部を下降した上部開放状態７３において、各カーテン構成部材２１，・・・を前後に配置した状態で重ね合わせることができる。
【００３８】
このため、一枚のカーテン本体１２が複数箇所で折り畳まれた状態となる場合と比較して、前記開放状態７２及び前記上部開放状態７３における外観品質を高めることができる。
【００３９】
そして、前記カーテン本体１２は上下に配置された複数のカーテン構成部材２１，・・・で構成されており、各カーテン構成部材２１，・・・は、上縁部用吊紐５２，・・・が係合する係合点にて上縁部側が支持されている。このため、カーテン本体１２が上下に広げられた閉鎖状態７１において、各カーテン構成部材２１，・・・は、下縁部が揺動することによって、下縁部側を開放することができる。
【００４０】
よって、窓開口部からの風の取り入れが可能となるとともに、風によるカーテン本体１２全体の揺動を防止することができる。
【００４１】
また、カーテン本体１２を構成する各カーテン構成部材２１，・・・を個別に取り外してクリーニングしたり、交換したりすることができ、メインテナンス性を高めることができる。
【００４２】
なお、本実施の形態では、各吊紐４２，・・・，５２，・・・の移動規制を行うロック機構を備えた各昇降機構４１，５１を用いた場合を例に挙げたが、これに限定されるものでは無く、例えば各吊紐４２，・・・，５２，・・・をリールによって昇降するリール式の昇降機構で構成しても良い。
【００４３】
【発明の効果】
以上説明したように本発明の請求項１の昇降カーテンにあっては、カーテン本体を下縁側から昇降する通常動作に加えて、上縁部を任意の位置まで下降した上部開放状態を形成することができる。
【００４４】
このため、この昇降カーテンを窓開口部に設置した際には、窓開口部の下側をカーテン本体で覆う一方、上側を開放して光を取り込むといった利用形態を形成することができる。したがって、カーテン本体を下縁から上昇することしかできなかった従来と比較して、利便性の向上を図ることができる。
【００４５】
また、請求項２の昇降カーテンにおいては、下縁部用昇降機構の下縁部用吊紐を、カーテン本体に設けられた下縁部用保持部材に挿通した後、カーテン本体の下縁側で固定するとともに、上縁部用昇降機構の上縁部用吊紐を、カーテン本体の係合点で係合するといった構成により、カーテン本体を下縁側から昇降する通常動作と上縁部を昇降する構造を形成することができる。
【００４６】
これにより、構成の簡素化を図ることができる。
【００４７】
さらに、請求項３の昇降カーテンでは、カーテン本体を下縁側から上昇した開放状態、及びカーテン本体の上縁部を下降した上部開放状態において、各カーテン構成部材を前後に配置した状態で重ね合わせることができる。
【００４８】
このため、一枚のカーテン本体が複数箇所で折り畳まれた状態となる場合と比較して、前記開放状態及び前記上部開放状態における外観品質を高めることができる。
【００４９】
一方、カーテン本体が上下に広げられた閉鎖状態では、カーテン本体を構成する各カーテン構成部材の自由端部を揺動させることにより、当該自由端部を開放することができる。
【００５０】
これにより、窓開口部からの風の取り入れが可能となるとともに、風によるカーテン本体全体の揺動を防止することができる。
【００５１】
また、カーテン本体を構成する各カーテン構成部材を個別に取り外してクリーニングしたり、交換したりすることができ、メインテナンス性を高めることができる。
【図面の簡単な説明】
【図１】本発明の一実施の形態を裏面側から見た状態を示す斜視図である。
【図２】同実施の形態の開放状態を示す斜視図である。
【図３】同実施の形態の上部開放状態を示す斜視図である。
【符号の説明】
１    昇降カーテン
１１    カーテンレール
１２    カーテン本体
２１    カーテン構成部材
２３    下縁部用保持部材
２４    上縁部用保持部材
４１    下縁部用昇降機構
４２    下縁部用吊紐
５１    上縁部用昇降機構
５２    上縁部用吊紐
【図１】
2005027727.tif 000003
【図２】
2005027727.tif 000004
【図３】
2005027727.tif 000005